(57)【特許請求の範囲】
【請求項１】
ＤＡＢ用ラジオ受信機において、（ａ）受信したアンサンブルの中の全サービスのＳＩｄ（Service Identifier）をメモリ装置に記録する際に、（ｂ）前記ＳＩｄのカントリーＩｄデータが０の場合に、（ｃ）コントロールマイコンが前記ＳＩｄの中のカントリーＩｄを含む１バイトを当該受信している周波数情報に置換し、（ｄ）置換されたＳＩｄをメモリ装置に記録するサービス記録処理と、（ｅ）希望するサービスの呼び出し時に、（ｆ）前記メモリ装置に記録された希望するサービスに対応するＳＩｄを呼び出し、（ｇ）そのＳＩｄの周波数情報の周波数に同調させ、（ｈ）目的のＳＩｄが持つSubChＩｄ（Sub Channel Identifier）の音を再生する、という受信処理によって希望するサービスを受信再生することを特徴とするＤＡＢ用ラジオ受信機の受信方法。
【請求項２】
ＤＡＢの受信状況が悪化した場合にＦＩＢ（First Information Block）の中のＦＩＧ（First Information Group）の中のタイプ０フィールドのエクステンション２１（ＦＩＧ０／２１）またはタイプ０フィールドのエクステンション２４（ＦＩＧ０／２４）の周波数情報によって受信周波数の切り換えを行うＤＡＢ用ラジオ受信機の受信方法において、
メモリ装置にＤＡＢの提供する各サービスのＳＩｄの存在するアンサンブルを複数記録できるＳＩｄメモリリストを設けることにより、（ａ）サービスサーチ時に、（ｂ）ＤＡＢの受信周波数をアップ／ダウンさせて、（ｃ）ＤＡＢの受信可能なアンサンブルをサーチし、（ｄ）発見したアンサンブル内のＳＩｄ情報をメモリ装置の前記ＳＩｄメモリリストに受信履歴として記録するサービス記録処理と、（ｅ）受信状況が悪化して受信周波数の切り換えを行う場合に、（ｆ）受信したアンサンブルにおけるＦＩＧ０／２１またはＦＩＧ０／２４の周波数情報の有無をチェックし、（ｇ）前記ＦＩＧ０／２１及びＦＩＧ０／２４の周波数情報が無い場合に、（ｈ）前記メモリ装置のＳＩｄメモリリストに他のアンサンブルで同一のＳＩｄの有無をチェックし、（ｉ）ある場合にそのアンサンブルの周波数に切り換えて同一のＳＩｄの存否をチェックし、（ｊ）存在すればそのＳＩｄのサービスを受信する、という周波数切り換え判定処理を行うことを特徴とするＤＡＢ用ラジオ受信機の受信方法。
【発明の詳細な説明】
【０００１】
【発明の属する技術分野】
本発明は、欧州で実用段階にきているＤＡＢ（Digital Audio Broadcasting）を受信するラジオ受信機の技術分野に関し、特にその受信方法に関する。
【０００２】
【従来の技術】
現在、欧州で実用段階に至っているディジタル音声放送ＤＡＢ（Digital Audio Broadcasting）は、ＣＤ並の音質で、カーステレオ等の移動体受信でもマルチパスの無い安定した受信が可能な方式として注目されている。
【０００３】
ＤＡＢは音声圧縮方式にＭＰＥＧレイヤー２、デジタル変調方式に直交周波数多重変調方式（ＣＯＦＤＭ）を用い、そのデータ伝送レートは誤り訂正の冗長度を含めて２．３Ｍｂｐｓと高速であり、音楽プログラムだけでなく、データや画像を含む交通情報や気象情報等各種データサービスが予定されていて、１．５ＭＨｚの伝送帯域幅で複数のオーディオ番組とデータ放送を可能としている。なお、ＤＡＢの規格はＥＴＳ３００４０１（ETS；European Technical Standard）に規定されている。
【０００４】
図６は典型的なＤＡＢ用ラジオ受信機１０の構成を示すブロック回路図であり、その動作を概説すると、ＤＡＢの信号処理部１は、コントロールマイコン２の命令によりＲＦチューナー３を制御して、希望のＤＡＢのＲＦ信号（Ensemble）を選択して同期を掛けて受信する。
【０００５】
ＲＦチューナー３からは、ＩＦ信号が得られ、Ａ／Ｄコンバータ４でＡ／Ｄ変換されたデジタル信号はＤＡＢ信号処理部１でＦＦＴ（Fast Fourier Transform）処理された後、直交復調、ＱＰＳＫ（Quarternary Phase Shift Keying）復調にかけられる。ここに、上記「直交復調」とは、直交周波数分割多重（ＯＦＤＭ；orthogonal frequency division multiplex）された信号を復調すること。即ち、互いに直交するように並べられたキャリアを多重して使う復調方法であり、ＱＰＳＫとは、先行するシンボル（搬送波）に対する現在のシンボルの位相差により２ｂｉｔのデータを表す方式である。
【０００６】
得られたデータはメモリ装置、例えばマイコンのＲＡＭ（Random Access Memory）５に格納され、デ・インターリーブ処理、ビタビ復調処理（Viterbi Decoding）及びエネルギーディスパーサルが行われＭＳＣ（Main Service Channel）データとＦＩＣ（Fast Information Channel）データに復元される。
【０００７】
前記コントロールマイコン２は前記ＦＩＣデータを解析し、外部機器１１或いはＬＣＤ等の表示装置８によりユーザーに必要とされる情報を伝えるとともに、外部機器１１或いは入力装置７から入力されたユーザーの指示に基づき、前記ＭＳＣデータの中から所定のＭＰＥＧデータをアナログオーディオ信号に変換するようにＤＡＢ信号処理部１をコントロールする。
【０００８】
変換されたアナログオーディオ信号はオーディオ出力回路９を通して音声として出力される。
【０００９】
次に、図９は前記ＥＴＳ３００４０１から抜粋したＤＡＢのサービス構造の例を示す階層図であり、概説すると、アンサンブルラベルがＤＡＢ  ＥＮＳＥＭＢＬＥ  ＯＮＥのアンサンブルはサービスラベルが“ＡＬＰＨＡ１  ＲＡＤＩＯ”、“ＢＥＴＡ  ＲＡＤＩＯ”、“ＡＬＰＨＡ２  ＲＡＤＩＯ”等々の複数のServicesを含む。ユーザーは任意にＳＩｄを選択することで希望するサービスを再生することになる。
【００１０】
“ＡＬＰＨＡ１  ＲＡＤＩＯ”は主のサービス成分（Service Components）を１個、副のサービス成分を２個有している。主のサービス成分はAudioであり、副のサービス成分は交通メッセージチャネル（ＴＭＣ；Traffic Message Chanel）及びサービス情報（ＳＩ；Service Information）である。前記AudioとＳＩはＭＳＣ（Main Service Channel）内の別個のサブチャネルSubChで伝送され、前記ＴＭＣはＦＩＣ（Fast Information Channel）内のＦＩＤＣ（Fast Information Data Channel）で伝送される。
【００１１】
“ＢＥＴＡ  ＲＡＤＩＯ”はサービス成分としてAudioと2nd-ry Audioの２個を持ち、両方はＭＳＣのサブチャネルで伝送される。
【００１２】
“ＡＬＰＨＡ２  ＲＡＤＩＯ”は“ＡＬＰＨＡ１  ＲＡＤＩＯ”と同一のＴＭＣ及びＳＩを持ち、且つ独自のAudioまたはスイッチ切り換えで“ＡＬＰＨＡ１  ＲＡＤＩＯ”と同じAudioとなり得る構成になっている。
【００１３】
（１）  ところで、上述のＤＡＢでは各放送局（サービス）にそれぞれ個別のＳＩｄ（Service Identifier）が割り当てられており、プログラムサービス（オーディオソース）の場合は上記ＳＩｄは２バイトで構成され、上位バイトの上位４ビットはカントリーＩｄとして定義され０以外の値をとることになっており、画像データの場合は４バイトのＳＩｄを有し、その２バイト目の上位４ビットが同様にカントリーＩｄとして規定されている。
【００１４】
而して、前記ＤＡＢ用ラジオ受信機１０がＤＡＢの任意の放送番組を呼び出す場合、前記コントロールマイコン２のプログラムソフト上、先ず目的のサービスのＳＩｄをＲＡＭ５等のメモリ装置から取り出し、そのＳＩｄに対応する周波数（Ensemble）を受信してその中から目的のＳＩｄが持つSubChＩｄ（Sub Channel Identifier）を再生する受信処理手順となる。
【００１５】
ところが、ＤＡＢでは異なるサービスであるにもかかわらず異なるアンサンブルで同一のＳＩｄを使用している場合が存在し、０００１、０００２、０００３等の暫定的に決めたと思われるＳＩｄが使用されているのが現状であるが、従来のＤＡＢ用ラジオ受信機では、ＳＩｄのＲＡＭ５への記録も図７に示されるサービス記録の処理ルーチンのように単に受信されたアンサンブルの中の各サービスのＳＩｄをそのまま記録するに過ぎない。
【００１６】
（２）  また、ＤＡＢでは異なる複数のアンサンブルの中に同一のサービスが含まれている場合がある。そして、ＤＡＢでは送信されて来る情報のＦＩＧ（First Information Group）の中にtype０，Extention２１（ＦＩＧ０／２１）またはtype０，Extention２４（ＦＩＧ０／２４）として、同じアンサンブルが放送されている他の周波数の情報を含むようなフォーマットとなっている。
【００１７】
したがって、従来のＤＡＢ用ラジオ受信機では、図８に示される周波数切り換え判定の処理ルーチンのように、受信状況が悪化したときに上述のＦＩＧ０／２１またはＦＩＧ０／２４の周波数情報が有れば、その周波数情報を参照して他の周波数をチェックし、同一のＳＩｄが存在すれば、直接に同一ＳＩｄのサービスの他の周波数へ直ちに切り換えることができるような構成になっている。
【００１８】
しかしながら、実際のＤＡＢでは前記ＦＩＧ０／２１やＦＩＧ０／２４のデータが送信されていないケースが殆どであり、従来のＤＡＢ用ラジオ受信機では受信品質が悪化した場合にＤＡＢ受信バンド内の全てをサーチする所謂“Ensemble Serch”動作を行う必要があった。
【００１９】
【発明が解決しようとする課題】
上記（１）に関して、ＤＡＢにおける異なる複数のサービスが同一のＳＩｄを共有している現状では、暫定的に決めたＳＩｄの情報だけで目的とするサービスを特定して確実に呼び出すことはできず、目的のサービスを確実に呼び出すには、ＳＩｄのみでは足らず、例えば周波数データをＳＩｄに付して同時に前記メモリ装置のＲＡＭ５に記録しなければならないが、これではデータ量が増えてしまいマイコンのＲＡＭ容量を増加させる必要がある。
【００２０】
次に、上記（２）に関して、ＤＡＢにおいて前記ＦＩＧ０／２１やＦＩＧ０／２４の周波数情報が殆ど送信されていない現状では、前記“Ensemble Serch”にはかなり長い時間を要するために、その間長いミュートとなってしまいユーザーは放送が聴けなくなってしまうという問題点がある。
【００２１】
本発明は、上記ＤＡＢの受信における諸問題に鑑みてなされたものであり、前記ＤＡＢ用ラジオ受信機１０または２０のコントロールマイコン２の制御につき処理ルーチンに改善を加えて、良好な受信を実現するものである。
【００２２】
【課題を解決するための手段】
本発明は、ＤＡＢ受信に関する上記（１）〜（２）の課題を解決するために、
（１）ＤＡＢ用ラジオ受信機において、（ａ）受信したアンサンブルの中の全サービスのＳＩｄ（Service Identifier）をメモリ装置に記録する際に、（ｂ）前記ＳＩｄのカントリーＩｄデータが０の場合に、（ｃ）コントロールマイコンが前記ＳＩｄの中のカントリーＩｄを含む１バイトを当該受信している周波数情報に置換し、（ｄ）置換されたＳＩｄをメモリ装置に記録するサービス記録処理と、（ｅ）希望するサービスの呼び出し時に、（ｆ）前記メモリ装置に記録された希望するサービスに対応するＳＩｄを呼び出し、（ｇ）そのＳＩｄの周波数情報の周波数に同調させ、（ｈ）目的のＳＩｄが持つSubChＩｄ（Sub Channel Identifier）の音を再生する、という受信処理によって希望するサービスを受信再生することを特徴とするＤＡＢ用ラジオ受信機の受信方法を提供する。
（２）また、ＤＡＢの受信状況が悪化した場合にＦＩＢ（First Information Block）の中のＦＩＧ（First Information Group）の中のタイプ０フィールドのエクステンション２１（ＦＩＧ０／２１）またはタイプ０フィールドのエクステンション２４（ＦＩＧ０／２４）の周波数情報によって受信周波数の切り換えを行うＤＡＢ用ラジオ受信機の受信方法において、
メモリ装置にＤＡＢの提供する各サービスのＳＩｄの存在するアンサンブルを複数記録できるＳＩｄメモリリストを設けることにより、（ａ）サービスサーチ時に、（ｂ）ＤＡＢの受信周波数をアップ／ダウンさせて、（ｃ）ＤＡＢの受信可能なアンサンブルをサーチし、（ｄ）発見したアンサンブル内のＳＩｄ情報をメモリ装置の前記ＳＩｄメモリリストに受信履歴として記録するサービス記録処理と、（ｅ）受信状況が悪化して受信周波数の切り換えを行う場合に、（ｆ）受信したアンサンブルにおけるＦＩＧ０／２１またはＦＩＧ０／２４の周波数情報の有無をチェックし、（ｇ）前記ＦＩＧ０／２１及びＦＩＧ０／２４の周波数情報が無い場合に、（ｈ）前記メモリ装置のＳＩｄメモリリストに他のアンサンブルで同一のＳＩｄの有無をチェックし、（ｉ）ある場合にそのアンサンブルの周波数に切り換えて同一のＳＩｄの存否をチェックし、（ｊ）存在すればそのＳＩｄのサービスを受信する、という周波数切り換え判定処理を行うことを特徴とするＤＡＢ用ラジオ受信機の受信方法を提供する。
【００２３】
【発明の実施の形態】
本発明の実施の形態を図面に基いて説明する。
【００２４】
図１は本発明の請求項１に係るＤＡＢ用ラジオ受信機におけるサービス記録の処理ルーチンを示す図であり、図２はサービス呼び出しの処理ルーチンを示す図である。
【００２５】
図３は本発明の請求項２に係るＤＡＢ用ラジオ受信機におけるサービス記録の処理ルーチンを示す図であり、図４は周波数切り換え判定の処理ルーチンを示す図であり、図５はマイコン内のＲＡＭに記録されるＳＩｄとアンサンブルを対応付けたＳＩｄメモリリストである。
【００２６】
本発明に係るＤＡＢ用ラジオ受信機はその構成において前記従来のＤＡＢ用ラジオ受信機１０と同様であるが、そのコントロールマイコン２のＤＡＢ信号処理部１やメモリ装置であるＲＡＭ５等に対するソフト制御に特徴を有する。
【００２７】
先ず、図１において、従来のサービス記録の処理ルーチン（図７）と比較すると明らかなように破線枠内の処理が新規に追加されており、例えば（ａ）オーディオ等のプログラムサービスの場合の２バイトで構成される前記ＳＩｄを記録する場合に、（ｂ）ＳＩｄの中で上位バイトの上位４ビットのカントリーＩｄをチェックし、（ｃ）カントリーＩｄが０の場合に暫定的なＳＩｄと判断して、ＳＩｄの上位１Byteを周波数情報（ソフト内部処理用）に置き換え、（ｄ）ＲＡＭに置き換えたＳＩｄを記録する。
【００２８】
具体的には、アンサンブルＡ（周波数＃１６）内の複数のサービスのＳＩｄが０００１、０００２、０００３、・・・であり、異なるアンサンブルＢ（周波数＃２１）内の複数の異なるサービスも同一のＳＩｄ、０００１、０００２、０００３、・・・であるとすると、従来のように単にＳＩｄを指定したのみでは希望するサービスを確実に呼び出すことができない。
【００２９】
そこで、図２のサービス呼び出しのルーチン処理において、（ａ）受信したアンサンブルの中の全サービスのＳＩｄ（Service Identifier）をメモリ装置に記録する際に、（ｂ）前記ＳＩｄのカントリーＩｄデータが０の場合に、（ｃ）コントロールマイコンが前記ＳＩｄの中のカントリーＩｄを含む１バイトを当該受信している周波数情報に置換し、（ｄ）置換されたＳＩｄをメモリ装置（ＲＡＭ５）に記録するサービス記録処理を行う。
【００３０】
即ち、上記例ではアンサンブルＡのＳＩｄが０００１のサービスのＳＩｄを１６０１、同様に０００２のサービスのＳＩｄを１６０２、０００３のサービスのＳＩｄを１６０３と置き換え、アンサンブルＢのＳＩｄが０００１のサービスのＳＩｄを２１０１、同様に０００２のサービスのＳＩｄを２１０２、０００３のサービスのＳＩｄを２１０３と置き換えるのである。次に、（ｅ）希望するサービスの呼び出し時に、（ｆ）前記メモリ装置に記録された希望するサービスに対応するＳＩｄを呼び出し、（ｇ）そのＳＩｄの周波数情報の周波数に同調させ、（ｈ）目的のＳＩｄが持つSubChＩｄ（Sub Channel Identifier）の音を出力する、という受信処理を行う。
【００３１】
而して、異なるサービスでありながら異なるアンサンブルで同一のＳＩｄを使用しているＤＡＢでも希望のサービスの呼び出しを確実に行えることになる。
【００３２】
なお、将来的にＳＩｄが整備されれば上位４ビットが正しくカントリーＩｄとして０以外の値となるので送信されてきたＳＩｄがそのまま記録されることになる。
【００３３】
次に、ＤＡＢの受信状況が悪化した場合にＦＩＢ（First Information Block）の中のＦＩＧ（First Information Group）の中のタイプ０フィールドのエクステンション２１（ＦＩＧ０／２１）またはタイプ０フィールドのエクステンション２４（ＦＩＧ０／２４）の周波数情報によって受信周波数の切り換えを行うＤＡＢ用ラジオ受信機の受信方法において、メモリ装置にＤＡＢの提供する各サービスのＳＩｄの存在するアンサンブルを複数記録できるＳＩｄメモリリストを設けることにより、（ａ）サービスサーチ時に、（ｂ）ＤＡＢの受信周波数をアップ／ダウンさせて、（ｃ）ＤＡＢの受信可能なアンサンブルをサーチし、（ｄ）発見したアンサンブル内のＳＩｄ情報をメモリ装置の前記ＳＩｄメモリリストに記録するサービス記録処理と、（ｅ）受信状況が悪化して受信周波数の切り換えを行う場合に、（ｆ）受信したアンサンブルにおけるＦＩＧ０／２１またはＦＩＧ０／２４の周波数情報の有無をチェックし、（ｇ）前記ＦＩＧ０／２１及びＦＩＧ０／２４の周波数情報が無い場合に、（ｈ）前記メモリ装置のＳＩｄメモリリストに他のアンサンブルで同一のＳＩｄの有無をチェックし、（ｉ）ある場合にそのアンサンブルの周波数に切り換えて同一のＳＩｄの存否をチェックし、（ｊ）存在すればそのＳＩｄのサービスを受信する、という周波数切り換え判定処理を行う。
【００３４】
而して、上記処理ルーチンによればＦＩＧ０／２１またはＦＩＧ０／２４の周波数情報が無くても過去に同一のＳＩｄにつき異なるアンサンブルでの受信履歴があれば、そのアンサンブルの周波数に直接に同調するため、瞬間的なミュートで済み、長時間のサーチ動作による放送の欠落が防止されるのである。
【００３５】
【発明の効果】
本発明に係るラジオ受信機は、
（１）  異なるサービスでありながら異なるアンサンブルで同一のＳＩｄを使用しているＤＡＢでもＳＩｄの中のカントリーＩｄを含む１バイトを当該受信している周波数情報に置換してメモリ装置に記録することで、メモリ容量を増やすことなく希望のサービスの呼び出しを確実に行うことができる。
【００３６】
（２）  受信中のEnsembleの受信品質が悪化した場合、現在のEnsembleとは異なるEnsembleでも同一のサービスが存在することが予めメモリ装置のＳＩｄメモリリストの受信履歴の記録によって判る場合は、自動的に他のアンサンブルの周波数にダイレクトに同調するため、瞬間的なミュートで済み、長時間サーチ動作のための放送の欠落がなくなる。
【図面の簡単な説明】
【図１】本発明の請求項１に係るＤＡＢ用ラジオ受信機におけるサービス記録の処理ルーチンを示す図である。
【図２】本発明の請求項１に係るサービス呼び出しの処理ルーチンを示す図である。
【図３】本発明の請求項２に係るＤＡＢ用ラジオ受信機におけるサービス記録の処理ルーチンを示す図である。
【図４】本発明の請求項２に係る周波数切り換え判定の処理ルーチンを示す図である。
【図５】マイコン内のＲＡＭに記録されるＳＩｄとアンサンブルを対応付けたＳＩｄメモリリストである。
【図６】典型的なＤＡＢ用ラジオ受信機１０の構成を示すブロック回路図である。
【図７】従来のサービス記録の処理ルーチンを示す図である。
【図８】従来のＤＡＢ用ラジオ受信機における周波数切り換え判定の処理ルーチンを示す図である。
【図９】ＤＡＢのサービス構造の例を示す階層図である。
【符号の説明】
１    ＤＡＢの信号処理部
２    コントロールマイコン
３    ＲＦチューナー
４    Ａ／Ｄコンバータ
５    ＲＡＭ
７    入力装置
８    ＬＣＤ等の表示装置
９    オーディオ出力回路
１０    ＤＡＢ用ラジオ受信機
１１    外部機器
【図１】
0003633379.tif 000002
【図２】
0003633379.tif 000003
【図３】
0003633379.tif 000004
【図４】
0003633379.tif 000005
【図５】
0003633379.tif 000006
【図６】
0003633379.tif 000007
【図７】
0003633379.tif 000008
【図８】
0003633379.tif 000009
【図９】
0003633379.tif 000010